(57)【特許請求の範囲】
【請求項１】
スマート機器に用いられる接続確立方法であって、
前記スマート機器が有線接続でルーターと第１の接続を確立し、
前記スマート機器が前記スマート機器の機器識別を取得し、
前記スマート機器が前記第１の接続を通じて前記機器識別を前記ルーターに送信することにより、前記ルーターは、前記機器識別を受信した後、検証サーバに転送して、前記検証サーバで前記機器識別により前記スマート機器が合法的なものかどうかが検証されて、検証結果を前記ルーターに返信し、前記ルーターが、前記機器識別により前記スマート機器が合法的なものかどうかを検証した検証結果を取得し、且つ前記検証結果により前記スマート機器が合法的なものであると示す場合、前記第１の接続を通じて接続情報を送信し、
前記スマート機器が前記ルーターから前記第１の接続を通じて送信した、無線接続で前記スマート機器を前記ルーターに接続するために用いられる前記接続情報を受信し、
前記スマート機器が前記接続情報により、無線接続で前記ルーターと第２の接続を確立することを含むことを特徴とする、スマート機器に用いられる接続確立方法。
【請求項２】
有線接続でルーターと第１の接続を確立することが、
データ線で、前記スマート機器での第１のユニバーサルシリアルバス（ＵＳＢ）インターフェースとルーターでの第２のＵＳＢインターフェースの間に、第１の接続を確立することを含むことを特徴とする請求項１に記載の方法。
【請求項３】
前記接続情報が、前記ルーターが属する目標サービスセット識別子（ＳＳＩＤ）と前記ルーターに接続するための目標接続パスワードとを含むことを特徴とする請求項１又は２に記載の方法。
【請求項４】
前記接続情報により、無線接続で前記ルーターと第２の接続を確立することが、
ＳＳＩＤを読み取り、
前記目標ＳＳＩＤを読み取った場合、前記目標接続パスワードにより、忠実な無線（ＷＩＦＩ）接続で前記ルーターと第２の接続を確立することを含むことを特徴とする請求項３に記載の方法。
【請求項５】
ルーターに用いられる接続確立方法であって、
前記ルーターが有線接続でスマート機器と第１の接続を確立し、
前記ルーターが前記スマート機器から前記第１の接続を通じて送信した前記スマート機器の機器識別を受信し、
前記ルーターが前記機器識別を検証サーバに送信することにより、前記検証サーバが、前記機器識別により前記スマート機器が合法的なものかどうかを検証し、
前記ルーターが前記検証サーバから返信した検証結果を受信し、
前記検証結果により前記スマート機器が合法的なものであると示す場合、前記ルーターが前記第１の接続を通じて、予め保存した、無線接続で前記スマート機器を前記ルーターに接続するために用いられる接続情報を前記スマート機器に送信することにより、前記スマート機器が、前記接続情報により無線接続で前記ルーターと第２の接続を確立することを含むことを特徴とする、ルーターに用いられる接続確立方法。
【請求項６】
前記第１の接続を通じて、予め保存した接続情報を前記スマート機器に送信することが、
前記接続情報を送信するかどうかを確認するためのプッシュメッセージを端末に送信し、
前記端末から返信した、前記接続情報の送信を確認した確認メッセージを受信した場合、前記第１の接続を通じて、予め保存した前記接続情報を前記スマート機器に送信することを含むことを特徴とする請求項５に記載の方法。
【請求項７】
スマート機器に用いられる接続確立装置であって、
有線接続でルーターと第１の接続を確立するように構成された第１の接続確立モジュールと、
前記ルーターから前記第１の接続確立モジュールで確立された前記第１の接続を通じて送信した、無線接続で前記スマート機器を前記ルーターに接続するために用いられる接続情報を受信するように構成された第１の受信モジュールと、
前記第１の受信モジュールが受信した前記接続情報により、無線接続で前記ルーターと第２の接続を確立するように構成された第２の接続確立モジュールとを含み、
前記第１の受信モジュールが、
前記スマート機器の機器識別を取得するように構成された取得サブモジュールと、
前記第１の接続確立モジュールで確立された前記第１の接続を通じて、前記取得サブモジュールが取得した前記機器識別を前記ルーターに送信することにより、前記ルーターは、前記機器識別を受信した後、検証サーバに転送して、前記検証サーバで前記機器識別により前記スマート機器が合法的なものかどうかが検証されて、検証結果を前記ルーターに返信し、前記ルーターが、前記機器識別により前記スマート機器が合法的なものかどうかを検証した検証結果を取得し、且つ前記検証結果により前記スマート機器が合法的なものであると示す場合、前記第１の接続を通じて前記接続情報を送信するように構成された第１の送信サブモジュールと、
前記ルーターから前記第１の接続確立モジュールで確立された前記第１の接続を通じて送信した前記接続情報を受信するように構成された第１の受信サブモジュールとを含むことを特徴とする、スマート機器に用いられる接続確立装置。
【請求項８】
前記第１の接続確立モジュールが、
データ線で、前記スマート機器での第１のユニバーサルシリアルバス（ＵＳＢ）インターフェースとルーターでの第２のＵＳＢインターフェースの間に、第１の接続を確立するように構成された第１の接続確立サブモジュールを含むことを特徴とする請求項７に記載の装置。
【請求項９】
前記第１の受信モジュールが受信した前記接続情報は、前記ルーターが属する目標サービスセット識別子（ＳＳＩＤ）と前記ルーターに接続するための目標接続パスワードとを含むことを特徴とする請求項７又は８に記載の装置。
【請求項１０】
前記第２の接続確立モジュールが、
ＳＳＩＤを読み取るように構成された読み取りサブモジュールと、
前記第１の受信モジュールが受信した前記目標ＳＳＩＤを読み取った場合、前記第１の受信モジュールが受信した前記目標接続パスワードにより、忠実な無線（ＷＩＦＩ）接続で前記ルーターと第２の接続を確立するように構成された第２の接続確立サブモジュールとを含むことを特徴とする請求項９に記載の装置。
【請求項１１】
ルーターに用いられる接続確立装置であって、
有線接続でスマート機器と第１の接続を確立するように構成された第３の接続確立モジュールと、
前記第３の接続確立モジュールで確立された前記第１の接続を通じて、予め保存した、無線接続で前記スマート機器を前記ルーターに接続するために用いられる接続情報を前記スマート機器に送信することにより、前記スマート機器が、前記接続情報により無線接続で前記ルーターと第２の接続を確立するように構成された送信モジュールとを含み、
前記送信モジュールが、
前記スマート機器から前記第３の接続確立モジュールで確立された前記第１の接続を通じて送信した前記スマート機器の機器識別を受信するように構成された第２の受信サブモジュールと、
前記第２の受信サブモジュールが受信した前記機器識別を検証サーバに送信することにより、前記検証サーバが、前記機器識別により前記スマート機器が合法的なものかどうかを検証するように構成された第２の送信サブモジュールと、
前記検証サーバから返信した検証結果を受信するように構成された第３の受信サブモジュールと、
前記第３の受信サブモジュールが受信した前記検証結果により、前記スマート機器が合法的なものであると示す場合、前記第３の接続確立モジュールで確立された前記第１の接続を通じて、予め保存した前記接続情報を前記スマート機器に送信するように構成された第３の送信サブモジュールとを含むことを特徴とする、ルーターに用いられる接続確立装置。
【請求項１２】
前記送信モジュールが、
前記接続情報を送信するかどうかを確認するためのプッシュメッセージを端末に送信するように構成された第４の送信サブモジュールと、
前記端末から返信した、前記接続情報の送信を確認した確認メッセージを受信した場合、前記第１の接続を通じて、予め保存した前記接続情報を前記スマート機器に送信するように構成された第４の受信サブモジュールとを含むことを特徴とする請求項１１に記載の装置。
【請求項１３】
スマート機器が有線接続でルーターと第１の接続を確立し、
前記スマート機器が前記スマート機器の機器識別を取得し、
前記スマート機器が前記第１の接続を通じて前記機器識別を前記ルーターに送信することにより、前記ルーターは、前記機器識別を受信した後、検証サーバに転送して、前記検証サーバで前記機器識別により前記スマート機器が合法的なものかどうかが検証されて、検証結果を前記ルーターに返信し、前記ルーターが、前記機器識別により前記スマート機器が合法的なものかどうかを検証した検証結果を取得し、且つ前記検証結果により前記スマート機器が合法的なものであると示す場合、前記第１の接続を通じて接続情報を送信し、
前記スマート機器が前記ルーターから前記第１の接続を通じて送信した、無線接続で前記スマート機器を前記ルーターに接続するために用いられる前記接続情報を受信し、
前記スマート機器が前記接続情報により、無線接続で前記ルーターと第２の接続を確立するように構成されたプロセッサと、
前記プロセッサで実行可能な指示を記憶するために用いられるメモリとを含むことを特徴とする、スマート機器に用いられる接続確立装置。
【請求項１４】
ルーターが有線接続でスマート機器と第１の接続を確立し、
前記ルーターが前記スマート機器から前記第１の接続を通じて送信した前記スマート機器の機器識別を受信し、
前記ルーターが前記機器識別を検証サーバに送信することにより、前記検証サーバが、前記機器識別により前記スマート機器が合法的なものかどうかを検証し、
前記ルーターが前記検証サーバから返信した検証結果を受信し、
前記検証結果により前記スマート機器が合法的なものであると示す場合、前記ルーターが前記第１の接続を通じて、予め保存した、無線接続で前記スマート機器を前記ルーターに接続するために用いられる接続情報を前記スマート機器に送信することにより、前記スマート機器が、前記接続情報により無線接続で前記ルーターと第２の接続を確立するように構成されたプロセッサと、
前記プロセッサで実行可能な指示を記憶するために用いられるメモリとを含むことを特徴とする、ルーターに用いられる接続確立装置。
【請求項１５】
請求項７ないし１０の何れか１項に記載の接続確立装置を含むスマート機器と、
請求項１１又は１２に記載の接続確立装置を含むルーターと、を含むことを特徴とする接続確立システム。
【請求項１６】
請求項１３に記載の接続確立装置を含むスマート機器と、
請求項１４に記載の接続確立装置を含むルーターと、を含むことを接続確立システム。
【請求項１７】
プロセッサに実行されることにより、請求項１から請求項６のいずれかに記載の接続確立方法を実現することを特徴とするプログラム。
【請求項１８】
請求項１７に記載のプログラムが記録された記録媒体。
【発明の詳細な説明】
【技術分野】
【０００１】
本願は、通信技術分野に関し、特に接続確立方法及び装置に関するものである。
【背景技術】
【０００２】
現在、忠実な無線（ＷｉｒｅｌｅｓｓＦｉｄｅｌｉｔｙ、ＷＩＦＩ）接続でルーターに接続されるスマート機器が多くなることで、ユーザーがこのスマート機器を通じてインターネットに接続することができるようになる。関連技術では、スマート機器は、一般的に、ワイファイ・プロテクテッド・セットアップ（ＷｉＦｉ  Ｐｒｏｔｅｃｔｅｄ  Ｓｅｔｕｐ、ＷＰＳ）というモードでルーターの接続情報を取得する。接続情報は、前記ルーターが属するサービスセット識別子（Ｓｅｒｖｉｃｅ  Ｓｅｔ  Ｉｄｅｎｔｉｆｉｅｒ、ＳＳＩＤ）と、前記ルーターに接続するための接続パスワードとを含む。
【０００３】
しかしながら、ＷＰＳモードにおいて、スマート機器は、無線方式でルーターの接続情報を取得するので、安全な状態にならない。ＷＰＳモードがオンの時にその他のスマート機器が監視状態にある場合、ルーターの接続情報は、漏洩する可能性があり、情報セキュリティー性に劣る。
【発明の概要】
【０００４】
その点を鑑み、関連技術における、ルーターでの接続情報漏洩の問題、情報セキュリティー性に劣るという問題を解決するために、本願は、接続確立方法及び装置を提供する。
【０００５】
本願の実施例の第１の態様によれば、
有線接続でルーターと第１の接続を確立し、
前記ルーターから前記第１の接続を通じて送信した、無線接続で前記スマート機器を前記ルーターに接続するために用いられる接続情報を受信し、
前記接続情報により、無線接続で前記ルーターと第２の接続を確立することを含む、スマート機器に用いられる接続確立方法を提供する。
【０００６】
選択的に、前記の、有線接続でルーターと第１の接続を確立することが、
データ線で、前記スマート機器での第１のユニバーサルシリアルバス（ＵＳＢ）インターフェースとルーターでの第２のＵＳＢインターフェースの間に、第１の接続を確立することを含む。
【０００７】
選択的に、前記ルーターから前記第１の接続を通じて送信した接続情報を受信することが、
前記スマート機器の機器識別を取得し、
前記機器識別を前記第１の接続を通じて前記ルーターに送信することにより、前記ルーターが、前記機器識別により前記スマート機器が合法的なものかどうかを検証した検証結果を取得し、さらに、前記検証結果により前記スマート機器が合法的なものと示す場合、前記第１の接続を通じて前記接続情報を送信し、
前記ルーターから前記第１の接続を通じて送信した前記接続情報を受信することを含む。
【０００８】
選択的に、前記接続情報は、前記ルーターが属する目標サービスセット識別子（ＳＳＩＤ）と前記ルーターに接続するための目標接続パスワードとを含む。
【０００９】
選択的に、前記接続情報により、無線接続で前記ルーターと第２の接続を確立することが、
ＳＳＩＤを読み取り、
前記目標ＳＳＩＤを読み取った場合、前記目標接続パスワードにより、忠実な無線（ＷＩＦＩ）接続で前記ルーターと第２の接続を確立することを含む。
【００１０】
本願の実施例の第２の態様によれば、
有線接続でスマート機器と第１の接続を確立し、
前記第１の接続を通じて、予め保存した、無線接続で前記スマート機器を前記ルーターに接続するために用いられる接続情報を前記スマート機器に送信することにより、前記スマート機器が、前記接続情報により無線接続で前記ルーターと第２の接続を確立することを含む、ルーターに用いられる接続確立方法を提供する。
【００１１】
選択的に、前記第１の接続を通じて、予め保存した接続情報を前記スマート機器に送信することが、
前記スマート機器から前記第１の接続を通じて送信した前記スマート機器の機器識別を受信し、
前記機器識別を検証サーバに送信することにより、前記検証サーバが、前記機器識別により前記スマート機器が合法的なものかどうかを検証し、
前記検証サーバから返信した検証結果を受信し、
前記検証結果により前記スマート機器が合法的なものであると示す場合、予め保存した接続情報を前記第１の接続を通じて前記スマート機器に送信することを含む。
【００１２】
選択的に、前記第１の接続を通じて、予め保存した接続情報を前記スマート機器に送信することが、
前記接続情報を送信するかどうかを確認するためのプッシュメッセージを端末に送信し、
前記端末から返信した、前記接続情報の送信を確認した確認メッセージを受信した場合、予め保存した前記接続情報を前記第１の接続を通じて前記スマート機器に送信することを含む。
【００１３】
本願の実施例の第３の態様によれば、
有線接続でルーターと第１の接続を確立するように構成された第１の接続確立モジュールと、
前記ルーターから前記第１の接続確立モジュールで確立された前記第１の接続を通じて送信した、無線接続で前記スマート機器を前記ルーターに接続するために用いられる接続情報を受信するように構成された第１の受信モジュールと、
前記第１の受信モジュールが受信した前記接続情報により、無線接続で前記ルーターと第２の接続を確立するように構成された第２の接続確立モジュールとを含む、スマート機器に用いられる接続確立装置を提供する。
【００１４】
選択的に、前記第１の接続確立モジュールは、
データ線で、前記スマート機器での第１のユニバーサルシリアルバス（ＵＳＢ）インターフェースとルーターでの第２のＵＳＢインターフェースの間に、第１の接続を確立するように構成された第１の接続確立サブモジュールを含む。
【００１５】
選択的に、前記第１の受信モジュールは、
前記スマート機器の機器識別を取得するように構成された取得サブモジュールと、
前記第１の接続確立モジュールで確立された前記第１の接続を通じて、前記取得サブモジュールが取得した前記機器識別を前記ルーターに送信することにより、前記ルーターが、前記機器識別により前記スマート機器が合法的なものかどうかを検証した検証結果を取得し、さらに、前記検証結果により前記スマート機器が合法的なものであると示す場合、前記第１の接続を通じて前記接続情報を送信するように構成された第１の送信サブモジュールと、
前記ルーターから前記第１の接続確立モジュールで確立された前記第１の接続を通じて送信した前記接続情報を受信するように構成された第１の受信サブモジュールとを含む。
【００１６】
選択的に、前記第１の受信モジュールが受信した前記接続情報は、前記ルーターが属する目標サービスセット識別子（ＳＳＩＤ）と前記ルーターに接続するための目標接続パスワードとを含む。
【００１７】
選択的に、前記第２の接続確立モジュールは、
ＳＳＩＤを読み取るように構成された読み取りサブモジュールと、
前記第１の受信モジュールが受信した前記目標ＳＳＩＤを読み取った場合、前記第１の受信モジュールが受信した前記目標接続パスワードにより、忠実な無線（ＷＩＦＩ）接続で前記ルーターと第２の接続を確立するように構成された第２の接続確立サブモジュールとを含む。
【００１８】
本願の実施例の第４の態様によれば、
有線接続でスマート機器と第１の接続を確立するように構成された第３の接続確立モジュールと、
前記第３の接続確立モジュールで確立された前記第１の接続を通じて、予め保存した、無線接続で前記スマート機器を前記ルーターに接続するために用いられる接続情報を前記スマート機器に送信することにより、前記スマート機器が、前記接続情報により無線接続で前記ルーターと第２の接続を確立するように構成された送信モジュールとを含む、ルーターに用いられる接続確立装置を提供する。
【００１９】
選択的に、前記送信モジュールは、
前記スマート機器から前記第３の接続確立モジュールで確立された前記第１の接続を通じて送信した前記スマート機器の機器識別を受信するように構成された第２の受信サブモジュールと、
前記第２の受信サブモジュールが受信した前記機器識別を検証サーバに送信することにより、前記検証サーバが、前記機器識別により前記スマート機器が合法的なものかどうかを検証するように構成された第２の送信サブモジュールと、
前記検証サーバから返信した検証結果を受信するように構成された第３の受信サブモジュールと、
前記第３の受信サブモジュールが受信した前記検証結果により、前記スマート機器が合法的なものであると示す場合、前記第３の接続確立モジュールで確立された前記第１の接続を通じて、予め保存した接続情報を前記スマート機器に送信するように構成された第３の送信サブモジュールとを含む。
【００２０】
選択的に、前記送信モジュールは、
前記接続情報を送信するかどうかを確認するためのプッシュメッセージを端末に送信するように構成された第４の送信サブモジュールと、
前記端末から返信した、前記接続情報の送信を確認した確認メッセージを受信した場合、前記第１の接続を通じて、予め保存した前記接続情報を前記スマート機器に送信するように構成された第４の受信サブモジュールとを含む。
【００２１】
本願の実施例の第５の態様によれば、
有線接続でルーターと第１の接続を確立し、
前記ルーターから前記第１の接続を通じて送信した、無線接続で前記スマート機器を前記ルーターに接続するために用いられる接続情報を受信し、
前記接続情報により、無線接続で前記ルーターと第２の接続を確立するように構成されたプロセッサと、
プロセッサで実行可能な指示を記憶するために用いられるメモリとを含む、スマート機器に用いられる接続確立装置を提供する。
【００２２】
本願の実施例の第６の態様によれば、
有線接続でスマート機器と第１の接続を確立し、
前記第１の接続を通じて、予め保存した、無線接続で前記スマート機器を前記ルーターに接続するために用いられる接続情報を前記スマート機器に送信することにより、前記スマート機器が、前記接続情報により無線接続で前記ルーターと第２の接続を確立するように構成されたプロセッサと、
プロセッサで実行可能な指示を記憶するために用いられるメモリとを含む、ルーターに用いられる接続確立装置を提供する。
【００２３】
本願の実施例の第７の態様によれば、
前記第３の態様の何れか１項に記載の接続確立装置を含むスマート機器と、
前記第４の態様の何れか１項に記載の接続確立装置を含むルーターと、を含む接続確立システムを提供する。
【００２４】
本願の実施例の第８の態様によれば、
前記第５の態様に記載の接続確立装置を含むスマート機器と、
前記第６の態様に記載の接続確立装置を含むルーターと、を含む接続確立システムを提供する。
本発明の実施例の第９の態様によれば、
プロセッサに実行されることにより、上記接続確立方法を実現するプログラムを提供する。
本発明の実施例の第１０の態様によれば、
上記プログラムが記録された記録媒体を提供する。
【００２５】
本願の実施例によって提供される技術案は、以下の有益な効果を奏する。
【００２６】
本願の実施例において、スマート機器は、まず、有線接続でルーターと第１の接続を確立し、前記第１の接続を通じて、無線接続で前記スマート機器を前記ルーターに接続するための接続情報を取得する。さらに、前記スマート機器は、前記接続情報により、無線接続でルーターと第２の接続を確立する。スマート機器が有線接続でルーターの接続情報を取得するため、前記接続情報の漏洩を回避することができ、情報セキュリティー性を向上できる。
【００２７】
本願の実施例において、スマート機器は、有線接続でルーターと第１の接続を確立した後、自身の機器識別を前記第１の接続を通じて前記ルーターに送信してから、前記ルーターが、前記スマート機器が合法的なものかどうかを検証した検証結果を取得する。前記ルーターは、前記検証結果により前記スマート機器が合法的なものであると示す場合のみ、予め保存した前記接続情報をスマート機器に送信するので、情報セキュリティー性をさらに確保できる。
【００２８】
本願の実施例において、ルーターは、接続情報をスマート機器に送信する前に、プッシュメッセージを端末に送信することが可能である。前記端末ユーザによって、前記接続情報の送信が決定されるので、ユーザ体験を向上する。
【００２９】
以上の一般的な記述と、以下の詳細の記述は、例示的及び解釈的なものに過ぎず、本発明を限定できるものではないことを理解すべきである。
【図面の簡単な説明】
【００３０】
この図面は、明細書に組み入れて本明細書の一部分を構成し、本発明に該当する実施例を例示するとともに、明細書とともに本発明のメカニズムを解釈することに用いられる。
【００３１】
【図１】本願の例示的な一実施例に係る接続確立方法のフローチャートである。
【図２】本願の例示的な一実施例に係る別の接続確立方法のフローチャートである。
【図３】本願の例示的な一実施例に係る別の接続確立方法のフローチャートである。
【図４】本願の例示的な一実施例に係る別の接続確立方法のフローチャートである。
【図５】本願の例示的な一実施例に係る別の接続確立方法のフローチャートである。
【図６】本願の例示的な一実施例に係る別の接続確立方法のフローチャートである。
【図７Ａ】本願の例示的な一実施例に係る別の接続確立方法のフローチャートである。
【図７Ｂ】本願の例示的な一実施例に係る別の接続確立方法のフローチャートである。
【図８】本願の例示的な一実施例に係る接続確立装置のブロック図である。
【図９】本願の例示的な一実施例に係る別の接続確立装置のブロック図である。
【図１０】本願の例示的な一実施例に係る別の接続確立装置のブロック図である。
【図１１】本願の例示的な一実施例に係る別の接続確立装置のブロック図である。
【図１２】本願の例示的な一実施例に係る別の接続確立装置のブロック図である。
【図１３】本願の例示的な一実施例に係る別の接続確立装置のブロック図である。
【図１４】本願の例示的な一実施例に係る別の接続確立装置のブロック図である。
【図１５】本願の例示的な一実施例に係る接続確立のための装置の構成模式図である。
【図１６】本願の例示的な一実施例に係る接続確立のための別の装置の構成模式図である。
【図１７】本願の例示的な一実施例に係る接続確立のためのシステムの構成模式図である。
【図１８】本願の例示的な一実施例に係る接続確立のための別のシステムの構成模式図である。
【発明を実施するための形態】
【００３２】
ここで、例示的な実施例を詳しく説明し、その例示を図面に示す。以下、図面に関連して説明する際に、特別な説明がない限り、異なる図面での同一符号は、同一または類似な要素を示す。以下の例示的な実施例に記載されている実施形態は、本発明に一致する全ての実施形態を代表するものではない。即ち、それらは、添付される特許請求の範囲で詳細に記載される本発明の一部の態様に一致する装置、及び方法の例に過ぎない。
【００３３】
本発明に使用されている用語は、特定の実施例を説明するためのものであり、本発明を限定しようとするものではない。本発明及び添付される特許請求の範囲に使用されている単数形の「一種」、「前記」及び「該」は、文脈で他の意味を明確に示さない限り、複数形も同様に含む。本発明に使用されている用語である「及び／又は」が、１つまたは複数の関連する例示的な項目の如何なる又は全ての可能な組み合わせを含むことを理解すべきである。
【００３４】
本発明では、第１、第２、第３などの用語を使用して各種の情報を説明しているものの、これらの情報がこれらの用語に限定されるものではないことを理解すべきである。これらの用語は、同一種類の情報をお互いに区別するためだけに用いられる。例えば、本発明の要旨を逸脱しない範囲において、第１の情報が、第２の情報と称されることもできる。類似的に、第２の情報が、第１の情報と称されることもできる。文脈によって決まるように、ここで使用されている「．．．場合」を、「．．．時に」又は「．．．際に」、又は「決定に応答する」のように解釈すべきである。
【００３５】
図１は、本願の例示的な一実施例に係る、スマート機器に用いられる接続確立方法である。図１に示すように、前記方法は、下記のステップを含む。
【００３６】
ステップ１０１：有線接続でルーターと第１の接続を確立する。
本願の実施例に係るスマート機器は、ユニバーサルシリアルバス（Ｕｎｉｖｅｒｓａｌ  Ｓｅｒｉａｌ  Ｂｕｓ、ＵＳＢ）インターフェースが設けられる各種のスマート機器であってもよい。例えば、スマートフォン、タブレットコンピューター、パーソナルデジタルアシスタント（Ｐｅｒｓｏｎａｌ  Ｄｉｇｉｔａｌ  Ａｓｓｉｓｔａｎｔｓ、ＰＤＡ）などが挙げられる。
【００３７】
選択的に、ステップ１０１は、下記のステップを含む。
ステップ１０１−１：データ線で、前記スマート機器での第１のユニバーサルシリアルバス（ＵＳＢ）インターフェースとルーターでの第２のＵＳＢインターフェースの間に、第１の接続を確立する。
【００３８】
本願の実施例において、ルーターには、同様に、ＵＳＢインターフェースが設けられる。ユーザーは、データ線で前記スマート機器と前記ルーターでのＵＳＢインターフェースの間に有線接続を行うことが可能である。前記スマート機器は、関連技術に従って自身での第１のＵＳＢインターフェースがデータ線で前記ルーターでの第２のＵＳＢインターフェースと第１の接続を確立したことを検出した後、次のステップ１０２の実行を継続する。
【００３９】
ステップ１０２：前記ルーターから前記第１の接続を通じて送信した、無線接続で前記スマート機器を前記ルーターに接続するための接続情報を受信する。
本願の実施例において、前記ルーターは、関連技術に従って自身での第２のＵＳＢインターフェースが、データ線で前記スマート機器での第１のＵＳＢインターフェースと第１の接続を確立したことを検出した後、自動的に、前記第１の接続を通じて、無線接続で前記ルーターに接続するための接続情報をスマート機器に送信するように構成されてもよい。
【００４０】
当然ながら、前記接続情報が不正機器によって取得されることを避けて、情報セキュリティー性をさらに確保するために、選択的に、ステップ１０２は、図２に示すようになる。図２は、本願の例示的な一実施例に係る別の接続確立方法であり、下記のことを含んでもよい。
【００４１】
ステップ１０２−１：前記スマート機器の機器識別を取得する。
本ステップにおいて、選択的に、前記スマート機器は、予め設置された仮想キーを出力することが可能である。前記仮想キーがユーザーによってチェックされた場合、前記スマート機器は、無線接続で前記ルーターに接続するための接続情報を取得する必要があると確定する。この際に、前記スマート機器は、自動的に自身の機器識別を取得することが可能である。また、前記機器識別は、前記スマート機器の登録コード（ＳＮ）、メディアアクセスコントロール（ＭＡＣ）アドレス、または国際移動機器識別子（ＩＭＥＩ）であってもよい。
【００４２】
ステップ１０２−２：前記機器識別を前記第１の接続を通じて前記ルーターに送信することにより、前記ルーターが、前記機器識別により前記スマート機器が合法的なものかどうかを検証した検証結果を取得し、前記検証結果により前記スマート機器が合法的なものであると示す場合、前記第１の接続を通じて前記接続情報を送信する。
本ステップにおいて、前記スマート機器は、前記機器識別をこの前に確立された第１の接続を通じて前記ルーターに送信する。前記ルータは、前記機器識別を受信した後、検証サーバに転送して、検証サーバで前記機器識別により前記スマート機器が合法的なものかどうかが検証されて、検証結果を前記ルーターに返信する。
【００４３】
ステップ１０２−３：前記ルーターから前記第１の接続を通じて送信した前記接続情報を受信する。
前記検証結果により前記スマート機器が合法的なものであると示す場合、前記ルーターは、同様に、前記第１の接続を通じて前記接続情報を前記スマート機器に送信することが可能である。
【００４４】
選択的に、前記接続情報は、前記ルーターが属する目標サービスセット識別子（ＳＳＩＤ）と前記ルーターに接続するための目標接続パスワードとを含む。
【００４５】
ステップ１０３：前記接続情報により、無線接続で前記ルーターと第２の接続を確立する。
選択的に、ステップ１０３は、図３に示すようになる。図３は、本願の例示的な一実施例に係る別の接続確立方法であり、下記のことを含んでも良い。
ステップ１０３−１：ＳＳＩＤを読み取る。
本ステップにおいて、前記スマート機器は、関連技術に従って、現在存在する領域範囲内でＳＳＩＤを読み取ることが可能である。
ステップ１０３−２：前記目標ＳＳＩＤを読み取った場合、前記目標接続パスワードにより、忠実な無線（Ｗｉｒｅｌｅｓｓ  Ｆｉｄｅｌｉｔｙ、ＷＩＦＩ）接続で前記ルーターと第２の接続を確立する。
前記スマート機器は、前記接続情報における前記目標ＳＳＩＤを読み取った場合、前記接続情報における前記目標接続パスワードにより、関連技術に従って、自動的に、忠実な無線（Ｗｉｒｅｌｅｓｓ  Ｆｉｄｅｌｉｔｙ、ＷＩＦＩ）接続で前記ルーターと第２の接続を確立することが可能である。
【００４６】
上述した実施例では、スマート機器は、無線接続でルーターと第２の接続を確立する前に、有線接続でルーターと第１の接続を確立する必要があり、さらに前記第１の接続を通じて、前記スマート機器を無線接続で前記ルーターに接続するための接続情報を取得する。前記スマート機器が有線接続で前記接続情報を取得するため、ルーターの接続情報の漏洩を回避し、情報セキュリティー性を向上する。
【００４７】
図４は、本願の例示的な一実施例に係る別の接続確立方法である。図４に示すように、前記方法は、ルーターに用いられ、下記のステップを含む。
ステップ２０１：有線接続でスマート機器と第１の接続を確立する。
本願の実施例に係るルーターは、ＵＳＢインターフェースが設けられた各種のスマートルータであってもよい。
ユーザーは、前記スマート機器と前記ルーターのＵＳＢインターフェースの間に、データ線で有線接続を行う。前記ルーターは、関連技術に従って、自身の第２のＵＳＢインターフェースがデータ線で前記スマート機器の第１のＵＳＢインターフェースと第１の接続を確立したことを検出した後、次のステップ２０２の実行を継続する。
【００４８】
ステップ２０２：前記第１の接続を通じて、予め保存した、無線接続で前記スマート機器を前記ルーターに接続するために用いられる接続情報を前記スマート機器に送信することにより、前記スマート機器が、前記接続情報により無線接続で前記ルーターと第２の接続を確立する。
選択的に、前記ルーターには、前記第１の接続の確立を検出すると、自動的に、前記第１の接続を通じて接続情報を前記スマート機器に送信するという設置を事前に行う。前記スマート機器は、受信した前記接続情報により、上述した実施例における方式に従って前記ルーターと第２の接続を確立することが可能である。
【００４９】
当然ながら、不正機器が前記接続情報を取得することを避けて、情報セキュリティー性をさらに確保するために、選択的に、ステップ２０２は図５に示すようになる。図５は、本願の例示的な一実施例に係る別の接続確立方法であり、下記のことを含んでもよい。
ステップ２０２−１：前記スマート機器から前記第１の接続を通じて送信した前記スマート機器の機器識別を受信する。
本ステップにおいて、前記ルーターは、関連技術に従って、前記第１の接続を通じて、前記スマート機器から送信した機器識別を受信する。選択的に、前記機器識別は、前記スマート機器のＳＮ、ＭＡＣアドレスまたはＩＭＥＩであってもよい。
【００５０】
ステップ２０２−２：前記機器識別を検証サーバに送信することにより、前記検証サーバが、前記機器識別により前記スマート機器が合法的なものかどうかを検証する。
前記ルーターは、関連技術に従って前記機器識別を検証サーバに転送して、前記スマート機器が合法的なものかどうかが前記検証サーバによって検証されることが可能である。
【００５１】
ステップ２０２−３：前記検証サーバから返信した検証結果を受信する。
前記ルーターは、同様に、関連技術に従って前記検証サーバから返信した検証結果を受信することが可能である。
【００５２】
ステップ２０２−４：前記検証結果により前記スマート機器が合法的なものであると示す場合、予め保存した前記接続情報を前記第１の接続を通じて前記スマート機器に送信する。
前記ルーターは、前記検証サーバから返信した検証結果により前記スマート機器が合法的なものであると示す場合のみ、予め保存した前記接続情報を前記第１の接続を通じて前記スマート機器に送信する。
【００５３】
勿論、本願の実施例において、ユーザ体験をさらに向上させるために、ルーターは、前記接続情報を前記スマート機器に送信する前に、プッシュメッセージを、ルータ管理アプリケーションＡＰＰが事前にインストールされた端末に送信することが可能である。前記接続情報を送信するかどうかは、前記端末ユーザによって決められる。即ち、ステップ２０２は、図６に示すようになる。図６は、本願の例示的な一実施例に係る別の接続確立方法であり、下記のことを含んでも良い。
ステップ２０２−１’：前記接続情報を送信するかどうかを確認するために用いられるプッシュメッセージを端末に送信する。
前記ルーターは、関連技術に従って、プッシュメッセージをルータ管理アプリケーションＡＰＰが事前にインストールされた端末に送信することが可能である。受信後に、前記端末は、関連技術に従って前記プッシュメッセージを出力することにより、前記端末ユーザが前記プッシュメッセージにより前記ルーターが前記接続情報の前記スマート機器への送信を同意するかどうかを決定する。
【００５４】
ステップ２０２−２’：前記端末から返信した、前記接続情報の送信を確認した確認メッセージを受信した場合、予め保存した前記接続情報を前記第１の接続で前記スマート機器に送信する。
前記端末ユーザが、前記ルーターから前記接続情報の前記スマート機器への送信を同意する場合、前記端末から、前記接続情報の送信を確認した確認メッセージが前記ルーターへ返信される。前記ルーターは、前記確認メッセージを受信した後、自動的に、予め保存した前記接続情報を前記スマート機器に送信する。
上述した実施例において、前記ルーターは、自身の、前記スマート機器が無線接続で前記ルーターとの接続を確立するための接続情報を有線接続で前記スマート機器に送信することにより、ルーターの接続情報の漏洩を回避し、情報セキュリティー性を向上する。
【００５５】
図７Ａは、本願の例示的な一実施例に係る接続確立方法である。図７Ａに示すように、前記方法は、下記のステップを含む。
ステップ３０１：データ線で、前記スマート機器での第１のＵＳＢインターフェースとルーターでの第２のＵＳＢインターフェースの間に、第１の接続を確立する。
ステップ３０２：前記スマート機器は、自身の機器識別を取得する。
前記スマート機器は、自動的に、関連技術にしたがって自身の機器識別を取得することが可能である。前記機器識別は、前記スマート機器のＳＮ、ＭＡＣアドレスまたはＩＭＥＩであってもよい。
ステップ３０３：前記スマート機器は、前記機器識別を前記第１の接続を通じて前記ルーターに送信する。
ステップ３０４：前記ルーターは、前記機器識別を検証サーバに送信する。
本ステップでは、前記ルーターは、関連技術に従って前記機器識別を検証サーバに転送して、前記スマート機器が合法的なものかどうかが前記検証サーバによって検証されることが可能である。
ステップ３０５：前記ルーターは、前記検証サーバから返信した検証結果を受信する。
ステップ３０６：前記ルーターは、前記検証結果により前記スマート機器が合法的なものであると示すかどうか、を検出する。合法の場合、ステップ３０７の実行を継続し、そうではない場合、現在の接続確立プロセスを終了する。
ステップ３０７：前記ルーターは、接続情報を送信するかどうかを確認するために用いられるプッシュメッセージを端末に送信する。
本ステップにおいて、前記ルーターは、前記端末ユーザに、無線接続で前記ルーターに接続するための接続情報の送信を同意するかどうかを問い合わせるために用いられる前記プッシュメッセージを、ルータ管理ＡＰＰが事前にインストールされた端末に送信することが可能である。
ステップ３０８：前記ルーターは、前記端末が返信した、前記プッシュメッセージの送信を確認した確認メッセージを受信したかどうかを検出する。前記確認メッセージを受信した場合、ステップ３０９の実行を継続する。そうではない場合、現在の接続確立プロセスを終了する。
ステップ３０９；前記ルーターは、予め保存した接続情報を前記第１の接続を通じて前記スマート機器に送信する。
前記接続情報は、前記スマート機器を無線接続で前記ルーターに接続するために用いられる。選択的に、前記接続情報は、前記ルーターが属する目標サービスセット識別子（ＳＳＩＤ）と前記ルーターに接続するための目標接続パスワードとを含む。
ステップ３１０：前記スマート機器は、前記接続情報を受信した後、ＳＳＩＤを読み取る。
本ステップにおいて、前記スマート機器は、関連技術に従って現在存在する領域範囲内でＳＳＩＤを読み取ることが可能である。前記スマート機器が前記目標ＳＳＩＤを読み取った場合、ステップ３１１の実行を継続する。
ステップ３１１：前記スマート機器は、前記目標接続パスワードにより、忠実な無線（ＷＩＦＩ）接続で前記ルーターと第２の接続を確立する。
前記スマート機器は、前記接続情報における前記目標接続パスワードにより、関連技術に従って、自動的にＷＩＦＩ接続で前記ルーターと第２の接続を確立する。
【００５６】
前記方法の全体のフローは、図７Ｂに示すようなものである。
【００５７】
勿論、上述したプロセスでは、前記ルーターは、前記端末から送信した確認メッセージを受信したかどうかを先に検出し、さらに、前記検証サーバから返信した検証結果により前記スマート機器が合法的なものであると示すかどうかを検出する。
【００５８】
上述した実施例において、スマート機器は、まず有線接続でルーターと第１の接続を確立し、前記第１の接続を通じて接続情報を取得し、さらに、前記スマート機器は、前記接続情報により、無線接続でルーターとの第２の接続を確立することが可能である。スマート機器が有線接続でルーターの接続情報を取得するため、ルーターの接続情報の漏洩を回避し、情報セキュリティー性を向上する。
【００５９】
上述した接続確立方法の実施例に対応して、本願は、接続確立装置の実施例をさらに提供する。
【００６０】
図８は、本願の例示的な一実施例に係る接続確立装置のブロック図である。図８に示すように、前記装置は、スマート機器に用いられ、
有線接続でルーターと第１の接続を確立するように構成された第１の接続確立モジュール４１０と、
前記ルーターから前記第１の接続確立モジュール４１０で確立された前記第１の接続を通じて送信した、無線接続で前記スマート機器を前記ルーターに接続するために用いられる接続情報を受信するように構成された第１の受信モジュール４２０と、
前記第１の受信モジュール４２０が受信した前記接続情報により、無線接続で前記ルーターと第２の接続を確立するように構成された第２の接続確立モジュール４３０とを含む。
【００６１】
上述した実施例において、スマート機器は、有線接続でルーターと第１の接続を確立し、前記第１の接続を通じて、無線接続で前記スマート機器を前記ルーターに接続するために用いられる接続情報を取得し、さらに、前記スマート機器は、前記接続情報により、無線接続でルーターと第２の接続を確立することが可能である。スマート機器が有線接続でルーターの接続情報を取得するため、ルーターの接続情報の漏洩を回避することができ、情報セキュリティー性を向上できる。
【００６２】
図９は、本願の例示的な一実施例に係る別の接続確立装置のブロック図である。図９に示すように、上述した図８に示される実施例に基づく該実施例では、前記第１の接続確立モジュール４１０は、
データ線で、前記スマート機器での第１のユニバーサルシリアルバス（ＵＳＢ）インターフェースとルーターでの第２のＵＳＢインターフェースの間に、第１の接続を確立するように構成された第１の接続確立サブモジュール４１１を含む。
【００６３】
図１０は、本願の例示的な一実施例に係る別の接続確立装置のブロック図である。図１０に示すように、上述した図８に示される実施例に基づく該実施例では、前記第１の受信モジュール４２０は、
前記スマート機器の機器識別を取得するように構成された取得サブモジュール４２１と、
前記第１の接続を通じて、前記取得サブモジュール４２１が取得した前記機器識別を前記ルーターに送信することにより、前記ルーターが前記機器識別により前記スマート機器が合法的なものかどうかを検証した検証結果を取得し、さらに、前記検証結果により前記スマート機器が合法的なものであると示す場合、前記第１の接続を通じて前記接続情報を送信するように構成された第１の送信サブモジュール４２２と、
前記ルーターから前記第１の接続確立モジュール４１０で確立された前記第１の接続を通じて送信した前記接続情報を受信するように構成された第１の受信サブモジュール４２３とを含む。
【００６４】
上述した実施例において、スマート機器は有線接続でルーターと第１の接続を確立した後、自身の機器識別を前記第１の接続を通じて前記ルーターに送信してから、前記ルーターによって、前記スマート機器が合法的なものかどうかを検証した検証結果が取得された。前記ルーターは、前記検証結果により前記スマート機器が合法的なものであると示す場合のみ、予め保存した前記接続情報をスマート機器に送信するので、情報セキュリティー性をさらに確保できる。
【００６５】
選択的に、前記第１の受信モジュール４２０が受信した前記接続情報は、前記ルーターが属する目標サービスセット識別子（ＳＳＩＤ）と前記ルーターに接続するための目標接続パスワードとを含む。
【００６６】
図１１は、本願の例示的な一実施例に係る別の接続確立装置のブロック図である。図１１に示すように、上述した、図８ないし図１０の何れか一つに示される実施例に基づく該実施例では、前記第２の接続確立モジュール４３０は、
ＳＳＩＤを読み取るように構成された読み取りサブモジュール４３１と、
前記第１の受信モジュール４２０が受信した、前記目標ＳＳＩＤを読み取った場合、前記第１の受信モジュール４２０が受信した、前記目標接続パスワードにより、忠実な無線（ＷＩＦＩ）接続で前記ルーターと第２の接続を確立するように構成された第２の接続確立サブモジュール４３２とを含む。
【００６７】
本願の実施例において、スマート機器は、接続情報を受信した後、ＳＳＩＤを読み取ることが可能である。前記接続情報における前記目標ＳＳＩＤを読み取った場合、前記接続情報における前記目標接続パスワードにより、忠実な無線（ＷＩＦＩ）接続で前記ルーターと第２の接続を確立することが可能である。上述したプロセスは、ルーターの接続情報の漏洩を回避したうえ、スマート機器とルーターとの無線接続を確立でき、ユーザ体験を優れるものとする。
【００６８】
図１２は、本願の例示的な一実施例に係る別の接続確立装置のブロック図である。図１２に示すように、前記装置は、ルーターに用いられ、
有線接続でスマート機器と第１の接続を確立するように構成された第３の接続確立モジュール５１０と、
前記第３の接続確立モジュール５１０で確立された前記第１の接続を通じて、予め保存した、無線接続で前記スマート機器を前記ルーターに接続するために用いられる接続情報を前記スマート機器に送信することにより、前記スマート機器が、前記接続情報により無線接続で前記ルーターと第２の接続を確立するように構成された送信モジュール５２０とを含む。
【００６９】
上述した実施例において、ルーターは自身の接続情報を有線接続でスマート機器に送信することにより、接続情報の漏洩を回避し、情報セキュリティー性を向上する。
【００７０】
図１３は、本願の例示的な一実施例に係る別の接続確立装置のブロック図である。図１３に示すように、上述した図１２に示される実施例に基づく該実施例では、前記送信モジュール５２０は、
前記スマート機器から前記第３の接続確立モジュール５１０で確立された前記第１の接続を通じて送信した前記スマート機器の機器識別を受信するように構成された第２の受信サブモジュール５２１と、
前記第２の受信サブモジュール５２１が受信した前記機器識別を検証サーバに送信することにより、前記検証サーバが、前記機器識別により前記スマート機器が合法的なものかどうかを検証するように構成された第２の送信サブモジュール５２２と、
前記検証サーバから返信した検証結果を受信するように構成された第３の受信サブモジュール５２３と、
前記第３の受信サブモジュール５２３が受信した前記検証結果により前記スマート機器が合法的なものである場合、前記第３の接続確立モジュール５１０で確立された前記第１の接続を通じて、予め保存した接続情報を前記スマート機器に送信するように構成された第３の送信サブモジュール５２４とを含む。
【００７１】
上述した実施例において、ルーターは、受信したスマート機器の機器識別を検証サーバに転送して、検証サーバから返信した検証結果により前記スマート機器が合法的なものであると示す場合、予め保存した前記接続情報を前記スマート機器に送信することにより、情報セキュリティー性をさらに向上する。
【００７２】
図１４は、本願の例示的な一実施例に係る別の接続確立装置のブロック図である。図１４に示すように、前記図１２に示される実施例に基づく該実施例では、前記送信モジュール５２０は、
前記接続情報を送信するかどうかを確認するためのプッシュメッセージを端末に送信するように構成された第４の送信サブモジュール５２５と、
前記端末から返信した、前記接続情報の送信を確認した確認メッセージを受信した場合、前記第１の接続を通じて予め保存した接続情報を前記スマート機器に送信するように構成された第４の受信サブモジュール５２６とを含む。
【００７３】
上述した実施例では、ルーターは、接続情報をスマート機器に送信する前に、プッシュメッセージを、ルータ管理アプリケーションＡＰＰが事前にインストールされた端末に送信して、端末ユーザによって前記接続情報の送信が決定されて、ユーザ体験を向上する。
【００７４】
相応的に、本願は、
有線接続でルーターと第１の接続を確立し、
前記ルーターから前記第１の接続を通じて送信した、無線接続で前記スマート機器を前記ルーターに接続するために用いられる接続情報を受信し、
前記接続情報により、無線接続で前記ルーターと第２の接続を確立するように構成されたプロセッサと、
プロセッサで実行可能な指示を記憶するために用いられるメモリとを含む、スマート機器に用いられる接続確立装置を提供する。
【００７５】
相応的に、本願は、
有線接続でスマート機器と第１の接続を確立し、
前記第１の接続を通じて、予め保存した、無線接続で前記スマート機器を前記ルーターに接続するために用いられる接続情報を前記スマート機器に送信することにより、前記スマート機器が、前記接続情報により、無線接続で前記ルーターと第２の接続を確立するように構成されたプロセッサと、
プロセッサで実行可能な指示を記憶するために用いられるメモリとを含む、ルーターに用いられる接続確立装置を提供する。
【００７６】
図１５は、本願の例示的な一実施例に係る接続確立装置１５００の構成模式図である。図１５に示すように、装置１５００は、例えば、携帯電話、パソコン、デジタル放送端末、メッセージの送受信装置、スマートプラグ、スマート血圧計、ゲームコンソール、タブレット、医療機器、フィットネス機器、ＰＤＡ（Ｐｅｒｓｏｎａｌ  Ｄｉｇｉｔａｌ  Ａｓｓｉｓｔａｎｔｓ）、スマートブレスレット、スマートウォッチなどのＵＳＢインターフェースが設けられるスマート機器であり得る。
【００７７】
図１５を参照して分かるように、装置１５００は、処理部品１５０２、メモリ１５０４、電源部品１５０６、マルチメディア部品１５０８、音響部品１５１０、入力／出力（Ｉ／Ｏ）インターフェース１５１２、センサ部品１５１４、及び通信部品１５１６といった１つまたは複数の部品を含み得る。
【００７８】
処理部品１５０２は、一般的に、例えば表示、通話呼、データ通信、カメラ操作及び記録操作に関連する装置１５００の全体動作を制御する。処理部品１５０２は、上述した方法のステップの全部または一部を完成させるために、指示を実行する１つまたは複数のプロセッサ１５２０を含み得る。なお、処理部品１５０２は、その他の部品とのやり取りが簡単にできるように、１つまたは複数のモジュールを含み得る。例えば、マルチメディア部品１５０８と処理部品１５０２とのやり取りが簡単にできるように、処理部品１５０２は、マルチメディアモジュールを含むことが可能である。
【００７９】
メモリ１５０４は、装置１５００での動作を支援するために、各種類のデータを記憶するように構成された。これらのデータの例示は、装置１５００での動作のために用いられる如何なるアプリケーションプログラムまたは方法の指示、連絡者データ、電話帳データ、メッセージ、ピクチャー、映像等を含む。メモリ１５０４は、スタティックランダムアクセスメモリ（ＳＲＡＭ、Ｓｔａｔｉｃ  Ｒａｎｄｏｍ  Ａｃｃｅｓｓ  Ｍｅｍｏｒｙ）、電気的に消去可能なＰＲＯＭ（ＥＥＰＲＯＭ、Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、消去可能プログラマブルＲＯＭ（ＥＰＲＯＭ、Ｅｒａｓａｂｌｅ  Ｐｒｏｇｒａｍｍａｂｌｅ  Ｒｅａｄ  Ｏｎｌｙ  Ｍｅｍｏｒｙ）、プログラマブルＲＯＭ（ＰＲＯＭ、Ｐｒｏｇｒａｍｍａｂｌｅ  Ｒｅａｄ  Ｏｎｌｙ  Ｍｅｍｏｒｙ）、リードオンリーメモリ（ＲＯＭ、Ｒｅａｄ  Ｏｎｌｙ  Ｍｅｍｏｒｙ）、磁気メモリ、フラッシュメモリ、磁気ディスクまたは光ディスクなど、如何なる類型の揮発性もしくは非揮発性記憶装置、またはそれらの組み合わせによって実現される。
【００８０】
電力部品１５０６は、装置１５００における各部品に電力を提供するものである。電力部品１５０６は、電源管理システム、１つまたは複数の電源、及び、装置１５００に電力の生成、管理及び配分に関連するそのほかの部品を含み得る。
【００８１】
マルチメディア部品１５０８は、前記装置１５００とユーザの間に出力インターフェースを１つ提供するスクリーンを備える。幾つかの実施例では、スクリーンは、液晶ディスプレー（ＬＣＤ）とタッチパネルとを含み得る。スクリーンがタッチパネルを含む場合、スクリーンは、ユーザからの入力信号を受信するために、タッチスクリーンのように実現されることが可能である。タッチパネルは、タッチ、スライド、及びタッチパネルに対するジェスチャーを検知するための１つまたは複数のタッチセンサーを含む。前記タッチセンサーは、タッチまたはスライド動作の境界を検知するばかりではなく、前記タッチまたはスライド動作に関係する持続時間と圧力とも検知する。幾つかの実施例では、マルチメディア部品１５０８は、１つのフロントカメラ及び／又はバックカメラを備える。装置１５００が、例えば、撮影モードまたは映像モードなどの動作モードにある場合、フロントカメラ及び／又はバックカメラは、外部からマルチメディアデータを受信することができる。各フロントカメラとバックカメラは、固定のレンズ光学系、又は焦点距離及び光学ズーム機能を有するものであってもよい。
【００８２】
音響部品１５１０は、出力及び／又は入力音響信号のように構成された。例えば、音響部品１５１０は、マイクロフォン（ＭＩＣ）を１つ備える。装置１５００が、呼出モード、記録モード及び音声認識モードなどの動作モードにある場合、マイクロフォンは、外部音響信号を受信するように構成された。受信した音響信号は、さらに、メモリ１５０４に記憶されたり、または、通信部品１５１６を通して送信される。幾つかの実施例では、音響部品１５１０は、音響信号を出力するためのスピーカをさらに備える。
【００８３】
Ｉ／Ｏインターフェース１５１２は、処理部品１５０２と、キーボード、クリックホイール、ボタンなどの周辺インターフェースモジュールの間にインターフェースを提供するものである。これらのボタンは、ホームページボタン、ボリュームボタン、起動ボタン及びロックボタンを含んでいてもよいが、これらに限定されるものではない。
【００８４】
センサー部品１５１４は、装置１５００に各方面の状態の評価を提供するために用いられるセンサーを１つまたは複数備える。例えば、センサー部品１５１４は、装置１５００の開／閉状態、部品の相対的な位置決めを検出することができる。例えば、前記部品は、装置１５００のディスプレとテンキー（ｔｅｎ  ｋｅｙ）である。センサー部品１５１４は、装置１５００または装置１５００における部品の１つの位置変化、ユーザと装置１５００との接触が存在するかどうか、装置１５００の方位または加速／減速、及び装置１５００の温度変化を検出することもできる。センサー部品１５１４は、如何なる物理的接触がない場合に近隣の物体の存在を検出するように構成された近接センサーを備える可能性がある。センサー部品１５１４は、画像形成応用における使用のために用いられる、ＣＭＯＳ又はＣＣＤ画像センサーなどの光センサーをさらに備えてもよい。幾つかの実施例では、該センサー部品１５１４は、加速度センサー、ジャイロセンサー、磁気センサー、圧力センサー、マイクロウエーブセンサまたは温度センサーをさらに備えてもよい。
通信部品１５１６は、装置１５００とその他の装置の間に有線または無線方式による通信が簡単にできるように構成された。装置１５００は、例えば、ＷｉＦｉ、２Ｇ又は３Ｇ又はそれらの組み合わせなどの、通信規格に基づく無線ネットワークに接続される。例示的な一実施例において、通信部品１５１６は、放送チャンネルを通して外部放送管理システムからの放送信号または放送関係情報を受信している。例示的な一実施例において、近距離通信を促進するために、前記通信部品１５１６は、近接通信（ＮＦＣ）モジュールをさらに備える。ＮＦＣモジュールは、例えば、ＲＦＩＤ（無線周波数識別、Ｒａｄｉｏ  Ｆｒｅｑｕｅｎｃｙ  Ｉｄｅｎｔｉｆｉｃａｔｉｏｎ）技術、ＩｒＤＡ（赤外線データ通信協会、Ｉｎｆｒａｒｅｄ  Ｄａｔａ  Ａｓｓｏｃｉａｔｉｏｎ）技術、ＵＷＢ（超広帯域、Ｕｌｔｒａ  Ｗｉｄｅ  Ｂａｎｄ）技術、ＢＴ（ブルートゥース、Ｂｌｕｅ  Ｔｏｏｔｈ（登録商標））技術及び他の技術によって実現される。
【００８５】
例示的な実施例において、前記方法を実行するために、装置１５００は、１つまたは複数の、ＡＳＩＣ（特定用途向け集積回路、Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（デジタル信号プロセッサ、Ｄｉｇｉｔａｌ  Ｓｉｇｎａｌ  Ｐｒｏｃｅｓｓｏｒ）、ＤＳＰＤ（デジタル信号プロセッサデバイス、Ｄｉｇｉｔａｌ  Ｓｉｇｎａｌ  Ｐｒｏｃｅｓｓｏｒ  Ｄｅｖｉｃｅ）、ＰＬＤ（プログラマブル・ロジック・デバイス、Ｐｒｏｇｒａｍｍａｂｌｅ  Ｌｏｇｉｃ  Ｄｅｖｉｃｅ）、ＦＰＧＡ（フィールド・プログラマブル・ゲート・アレイ、Ｆｉｅｌｄ  Ｐｒｏｇｒａｍｍａｂｌｅ  Ｇａｔｅ  Ａｒｒａｙ）、コントローラー、マイクロコントローラー、マイクロプロセッサまたはその他の電子素子によって実現される。例示的な実施例において、前記方法を完成させるように装置１５００における処理部品１５２０によって実行される指示を含む非一時的なコンピュータ読み取り可能な記憶媒体が提供される。例えば、指示を含むメモリ１５０４が挙げられる。前記非一時的なコンピュータ読み取り可能な記憶媒体は、例えば、ＲＯＭ、ＲＡＭ（ランダム・アクセス・メモリ、Ｒａｎｄｏｍ  Ａｃｃｅｓｓ  Ｍｅｍｏｒｙ）、ＣＤ−ＲＯＭ、磁気テープ、フロッピーディスク及び光データ記憶装置などが挙げられる。
【００８６】
図１６は、例示的な一実施例に係る接続確立のための別の装置１６００の構成模式図である。例えば、装置１６００は、ＵＳＢインターフェースを有するルーターとして提供される可能性がある。図１６を参照して分かるように、装置１６００は、処理部品１６２２を備え、さらに、１つまたは複数のプロセッサと、アプリケーションプログラムなど、処理部１６２２で実行可能な指示を記憶するための、メモリ１６３２で代表されるメモリリソースとを備える。メモリ１６３２に記憶されているアプリケーションプログラムは、１つまたは複数の、１つ当たり１組の指示に対応するモジュールを備えることが可能である。なお、前記のスマートホーム機器の制御方法を実行するために、処理部品１６２２が指示を実行するように構成される。
【００８７】
装置１６００は、装置１６００の電源管理を実行ように構成された電源部品１６２６と、装置１６００をインターネットに接続するように構成された有線または無線ネットワークインタフェース１６５０と、入力／出力インタフェース（Ｉ／Ｏ）１６５８とを備える。装置１６００は、例えばＷｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭまたはそれらに類似したものなど、メモリ１６３２に記憶されているオペレーティングシステムに基づいて動作することが可能である。
図１７は、本願の例示的な一実施例に係る接続確立システムのブロック図である。図１７に示すように、前記システムは、スマート機器６１０、即ち図８ないし図１１に示される接続確立装置と、ルーター６２０、即ち図１２ないし図１４に示される接続確立装置とを含む。
【００８８】
図１８は、本願の例示的な一実施例に係る別の接続確立システムのブロック図である。図１８に示すように、前記システムは、図１５に示される端末７１０と、図１６に示されるルーター７２０とを含む。
【００８９】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知知識、または通常の技術手段を含む。明細書と実施例は、例示的なものにすぎなく、本発明の本当の範囲と主旨は、以下の特許請求の範囲によって示される。
【００９０】
上記の内容は、本願の好適な実施例に過ぎなく、本願を限定するために用いられるものではない。本発明の要旨を逸脱しない範囲で、任意に行われる変更、置換、改良が、本願の保護範囲内のものである。
【００９１】
本願は、出願番号が２０１５１０７１７７２５．７であり、出願日が２０１５年１０月２９日である中国特許出願に基づき優先権を主張するものであり、ここで参照するため当該中国特許出願の全ての内容を本願に援用する。
【図１】
0006404486.tif 000002
【図２】
0006404486.tif 000003
【図３】
0006404486.tif 000004
【図４】
0006404486.tif 000005
【図５】
0006404486.tif 000006
【図６】
0006404486.tif 000007
【図７Ａ】
0006404486.tif 000008
【図７Ｂ】
0006404486.tif 000009
【図８】
0006404486.tif 000010
【図９】
0006404486.tif 000011
【図１０】
0006404486.tif 000012
【図１１】
0006404486.tif 000013
【図１２】
0006404486.tif 000014
【図１３】
0006404486.tif 000015
【図１４】
0006404486.tif 000016
【図１５】
0006404486.tif 000017
【図１６】
0006404486.tif 000018
【図１７】
0006404486.tif 000019
【図１８】
0006404486.tif 000020